【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
所定の位置における増幅音を供給するためのシステムであって、
電気インパルス性信号を供給するためのインパルス性信号発生器と、
前記インパルス性信号発生器に結合され、第１の位置および第２の位置の選択された１つに配置され、前記電気インパルス性信号に従って音響インパルス性信号を送信する第１の音響プロジェクタと、
前記音響インパルス性信号に応答してハイドロホン信号を供給するために前記第１の位置および前記第２の位置のうち選択されていない１つに配置されるハイドロホンと、
前記第１の位置から前記第２の位置への時間反転音響インパルス性応答に従って前記ハイドロホン信号の時間反転形を生成する、波形プロセッサと、
前記ハイドロホン信号の時間反転形に従って音響信号を送信するために前記第１の位置に配置され、前記第２の位置から離れかつ近接したピーク圧よりも実質的に大きいピーク圧、および第２の位置から離れかつ近接したインパルス範囲よりも実質的に大きいインパルス範囲のうち少なくとも１つを有する音を前記第２の位置においてもたらす、第２の音響プロジェクタと、
を備えたシステム。
【請求項２】
請求項１のシステムにおいて、前記電気インパルス性信号は概してsinc（シンク）関数信号の振幅特性を有する、システム。
【請求項３】
請求項２のシステムにおいて、前記sinc関数信号は約２５０Hzに制限される概して平坦周波数スペクトラム帯を有する、システム。
【請求項４】
請求項１のシステムにおいて、前記電気インパルス性信号は概してガウス関数信号の振幅特性を有する、システム。
【請求項５】
請求項１のシステムにおいて、前記電気インパルス性信号は正弦曲線（シヌソイド）信号からなるシステム。
【請求項６】
請求項１のシステムにおいて、
前記ハイドロホン信号を受信し予備的処理をするための音響受信機と、
前記予備的処理をされたハイドロホン信号をデジタル化された信号としてデジタル化するために前記音響受信機に結合された波形アナライザと、
前記デジタル化信号をデジタル化された時間反転信号として時間反転するための時間反転プロセッサと、
を備えた波形プロセッサ。
【請求項７】
請求項６のシステムにおいて、さらに
前記デジタル化された時間反転信号をアナログ時間反転信号に変換する波形発生器と、
前記アナログ時間反転信号を増幅する増幅器と、
を備えた波形プロセッサ。
【請求項８】
請求項１のシステムにおいて、前記第２の位置における音は、前記第２の位置から離れかつ近接したピーク圧よりも少なくとも3dB re 1μPaだけ大きなピーク圧を有する、システム。
【請求項９】
請求項１のシステムにおいて、前記第２の位置における音は人が不快となるのに十分なピーク圧およびインパルス範囲のうち少なくとも１つを有する、システム。
【請求項１０】
請求項１のシステムにおいて、前記第２の位置は前記第１の位置から少なくとも１０メートル離れており、前記第２の位置の音ピーク圧は少なくとも185dB re 1μPaである、システム。
【請求項１１】
請求項１のシステムにおいて、前記第２の音響プロジェクタは複数の時間反転音響信号を送信するために適合され、該複数の時間反転音響信号のうち選択された１つは前記ハイドロホン信号の時間反転形に従う、システム。
【請求項１２】
所定の位置における増幅音を生成する方法であって、
電気インパルス性信号を生成し、
前記電気インパルス性信号に従って第１の位置および第２の位置のうち選択された１つにおいて音響インパルス性信号を送信し、
前記第１の位置および前記第２の位置のうち選択されていない１つにおいて音響インパルス性信号に起因する音圧を受信し、
前記受信された音圧に従って前記第１の位置から前記第２の位置への音響インパルス性応答を決定し、
前記音響インパルス性応答を時間反転し、
前記時間反転音響インパルス性応答に従って前記第１の位置において音響信号を送信し、前記第２の位置から離れ、かつ近接したピーク圧よりも実質的に大きいピーク圧と、前記第２の位置から離れ、かつ近接したインパルス範囲よりも実質的に大きいインパルス範囲のうち少なくとも１つを有する音を前記第２の位置においてもたらす、送信すること
を含む方法。
【請求項１３】
請求項１２の方法において、前記電気インパルス性信号は概してsinc関数信号の振幅特性を有する、方法。
【請求項１４】
請求項１３の方法において、前記sinc関数信号は概して約２５０Ｈｚに制限された平坦周波数スペクトラム帯を有する、方法。
【請求項１５】
請求項１２の方法において、前記電気インパルス性信号は概してガウス関数信号の振幅特性を有する、方法。
【請求項１６】
請求項１２の方法において、前記電気インパルス性信号は正弦曲線信号からなる、方法
【請求項１７】
請求項１２の方法において、前記第２の位置における音は、前記第２の位置から離れかつ近接した音ピーク圧よりも少なくとも3dB re 1μPaだけ大きなピーク圧を有する、方法。
【請求項１８】
請求項１２の方法において、前記第２の位置における音は、人が不快となるのに十分なピーク圧およびインパルス範囲のうち少なくとも１つを有する、方法。
【請求項１９】
請求項１２の方法において、前記第２の位置は前記第１の位置から少なくとも１０メートル離れ、前記第２の位置における音ピーク圧は少なくとも185dB re 1μPaである、方法。
【請求項２０】
請求項１２の方法において、前記音響信号の送信は前記第１の位置における複数の音響信号を送信することを含み、前記複数の音響信号のうち選択された１つは前記時間反転音響インパルス性応答に従う、方法。
【請求項２１】
所定の位置における増幅音を供給するシステムであって、
第１の位置と第２の位置の間の音響インパルス性応答を予測し、音響インパルス性応答の時間反転形を生成する波形プロセッサと、
前記第１の位置において配置され、前記音響インパルス性応答の時間反転形に従って音響信号を送信し、前記第２の位置から離れかつ近接したピーク圧より実質的に大きいピーク圧と、前記第２の位置から離れかつ近接したインパルス範囲より実質的に大きいインパルス範囲のうち少なくとも１つを有する音を前記第２の位置でもたらす音響プロジェクタと、
を備えたシステム。
【請求項２２】
請求項２１のシステムにおいて、前記波形プロセッサは、
前記音響インパルス性応答を予測するためのインパルス応答予測プロセッサと、
前記音響インパルス性応答の時間反転形を生成するために前記インパルス性応答予測プロセッサに結合されている時間反転プロセッサと、
を備えたシステム。
【請求項２３】
請求項２２のシステムにおいて、前記波形プロセッサはさらに、
前記音響インパルス性応答の時間反転形をアナログ時間反転信号に変換するための波形発生器と、
前記アナログ時間反転信号を増幅するための増幅器と、
を備えたシステム。
【請求項２４】
請求項２１のシステムにおいて、前記第２の位置における音ピーク圧は、前記第２の位置から離れかつ近接した音ピーク圧よりも少なくとも3dB re 1μPaだけ大きなピーク圧であるシステム。
【請求項２５】
所定の位置における増幅音を生成する方法であって、
第１の位置と第２の位置の間の音響インパルス性応答を予測し、
前記音響インパルス性応答を時間反転し、
前記時間反転音響インパルス性応答に従って前記第１の位置における音響信号を送信し、前記第２の位置から離れ、かつ近接したピーク圧よりも実質的に大きいピーク圧と、前記第２の位置から離れ、かつ近接したインパルス範囲よりも実質的に大きいインパルス範囲のうち、少なくとも１つを有する音を第２の位置においてもたらす、送信すること、
を含む方法。
【請求項２６】
請求項２５の方法において、前記第２の位置における音は、前記第２の位置から離れかつ近接した音ピーク圧よりも少なくとも3dB re 1μPaだけ大きいピーク圧を有する方法。